(57)【特許請求の範囲】
【請求項１】
操作部と連動するピストンのシリンダでの移動に基づく弁作用により、前記シリンダの、下流側貯留空間域の内容物が外部空間域に放出され、かつ上流側貯留空間域の内容物が隙間通過部材を設けた内容物流入用チューブの方に逆流する機構であって、
前記シリンダは、
内容物放出用の吐出弁および吸込用逆止弁の間の前記下流側貯留空間域と、
前記吸込用逆止弁に流入する内容物が通過し、かつ静止時には内容物が貯留される前記上流側貯留空間域と、
前記上流側貯留空間域の上流側で、前記内容物流入用チューブが取り付けられる筒状空間域と、を備え、
前記ピストンは、
前記上流側貯留空間域を構成するシリンダ内周面に密接しながら移動し、かつ前記上流側貯留空間域および前記下流側貯留空間域を連通させる孔部を備えた上流側ピストン部材からなり、
前記吸込用逆止弁は、
自弾性力により前記孔部を閉状態に設定し、
操作部への内容物放出操作にともない、
前記下流側貯留空間域の内容物が開状態の前記吐出弁を介して外部空間域へ放出され、
かつ、前記吸込用逆止弁の閉状態における前記上流側ピストン部材の移動により前記上流側貯留空間域の内容物が前記内容物流入用チューブの方へ逆流して、その前記隙間通過部材での詰まり物が外方に押し出される、
ことを特徴とする内容物流入用チューブ逆流機構。
【請求項２】
前記シリンダは、
前記下流側貯留空間域を構成する大径シリンダと、
前記上流側貯留空間域を構成する小径シリンダと、
を備えている、
ことを特徴とする請求項１記載の内容物流入用チューブ逆流機構。
【請求項３】
請求項１または請求項２に記載の内容物流入用チューブ逆流機構を備え、かつ、内容物を収容した、
ことを特徴とするポンプ式製品。
【発明の詳細な説明】
【技術分野】
【０００１】
本発明は、操作部と連動するピストンのシリンダ内での移動に基づく弁作用にともない、前記シリンダ内の、下流側貯留空間域の内容物が外部空間域に放出され、かつ上流側貯留空間域の内容物が内容物流入用チューブの方に逆流する機構に関する。
【０００２】
特に、吐出弁および吸込弁の作用を呈するピストンが配設されたシリンダを、吐出弁を持つ通常の大径シリンダと、その上流側でピストン移動域を持つ新設の小径シリンダとで構成し、小径シリンダ流入側に内容物流入用チューブを取り付けたものである。
【０００３】
利用者が操作部の例えば押下げ操作により内容物放出状態の作動状態を設定するとき、ピストンは下動し、吸込弁（逆止弁）が閉じた状態で吐出弁が開いて通常の内容物放出が行われるとともに、小径シリンダに貯留済みの内容物がチューブの方に逆流する。
【０００４】
この小径シリンダ貯留内容物の逆流により、内容物流入用チューブの先端部分やここに取り付けられるメッシュブッシュなどへいわば詰まっていた各種混在物（後述の花びら，金粉，粉末，ゴミ，異物など）がいわば押し出されて、容器本体内容物と撹拌される。
【背景技術】
【０００５】
手動ポンプ機構の内容物流入用チューブの先端部分に洗浄用フィルタを設けることなどは古くから提案されている（特許文献１の第３図参照）。
【先行技術文献】
【特許文献】
【０００６】
【特許文献１】実開昭６２−１２２３０号公報
【発明の概要】
【発明が解決しようとする課題】
【０００７】
本件出願人は、このような内容物流入用チューブを用いた場合、その先端部に容器本体内容物との各種混在物（花びら，金粉，粉末，ゴミ，異物など）が詰まってしまうことについての幅広い検討をおこなった。
【０００８】
この検討過程で、内容物流入用チューブの先端部分の詰まり物を、容器本体の方へもう一度積極的に押し出してもいいのでは、といういわば逆転の発想をとるにいたった。
【０００９】
この詰まり物が、容器本体内容物に例えば浮遊状態で混在する花びら，金粉などの装飾要素の場合には、内容物流入用チューブの先端部（後述のメッシュブッシュなど）に詰まった分を容器本体内部に戻して再利用可能となる。
【００１０】
本発明では、内容物放出操作時のピストンの移動にともない、大径シリンダの下流側貯留空間域の内容物を通常のポンプ動作の形で外部空間域に放出し、かつ、小径シリンダの上流側貯留空間域の内容物を内容物流入用チューブの方に逆流させている。
【００１１】
本発明は、このように上流側貯留空間域の内容物を内容物放出操作のたびにチューブ側へ逆流させて、内容物流入用チューブの先端部における詰まり物（花びら，金粉，粉末，ゴミ，異物など）の離間動作の簡単化・確実化を図ることを目的とする。
【００１２】
また、吐出弁を介して外部空間域に連通する下流側貯留空間域を略大径シリンダで構成
し、これと逆止弁経由で連通する内容物流入用チューブ側の上流側貯留空間域を小径シリンダにて構成する。
【００１３】
本発明は、この下流側大径シリンダと上流側小径シリンダとの組合せにより、内容物放出操作解除後の静止時へのピストン復帰動作における、上流側貯留空間域から開状態の逆止弁を介した下流側貯留空間域への内容物供給の確実化を図ることを目的とする。
【課題を解決するための手段】
【００１４】
本発明は、以上の課題を次の内容物流入用チューブ逆流機構により解決する。
（１）操作部（例えば後述の操作ボタン１）と連動するピストン（例えば後述の上側ピストン通路部材２，中側ピストン弁部材３，下側ピストン逆止弁部材４）のシリンダでの移動に基づく弁作用により、前記シリンダの、下流側貯留空間域（例えば後述の下流側貯留空間域Ａ）の内容物が外部空間域に放出され、かつ上流側貯留空間域（例えば後述の上流側貯留空間域Ｂ）の内容物が隙間通過部材（例えば後述のメッシュブッシュ９ａ）を設けた内容物流入用チューブ（例えば後述のチューブ９）の方に逆流する機構であって、
前記シリンダは、
内容物放出用の吐出弁（例えば後述の移動弁部材５）および吸込用逆止弁（例えば後述のカップゴム６）の間の前記下流側貯留空間域と、
前記吸込用逆止弁に流入する内容物が通過し、かつ静止時には内容物が貯留される前記上流側貯留空間域と、
前記上流側貯留空間域の上流側で、前記内容物流入用チューブが取り付けられる筒状空間域（例えば後述の下端側筒状部８ｃ）と、を備え、
前記ピストンは、
前記上流側貯留空間域を構成するシリンダ内周面に密接しながら移動し、かつ前記上流側貯留空間域および前記下流側貯留空間域を連通させる孔部（例えば後述の横孔部４ｂ）を備えた上流側ピストン部材（例えば後述の下側ピストン逆止弁部材４）からなり、
前記吸込用逆止弁は、
自弾性力により前記孔部を閉状態に設定し、
操作部への内容物放出操作にともない、
前記下流側貯留空間域の内容物が開状態の前記吐出弁を介して外部空間域へ放出され、
かつ、前記吸込用逆止弁の閉状態における前記上流側ピストン部材の移動により前記上流側貯留空間域の内容物が前記内容物流入用チューブの方へ逆流して、その前記隙間通過部材での詰まり物が外方に押し出される、
構成態様のものを用いる。
（２）上記（１）において、
前記シリンダは、
前記下流側貯留空間域を構成する大径シリンダ（例えば後述の大径シリンダ８ａ）と、
前記上流側貯留空間域を構成する小径シリンダ（例えば後述の小径シリンダ８ｂ）と、を備えた、
構成態様のものを用いる。
【００１５】
本発明は、以上の構成からなる内容物流入用チューブ逆流機構およびこれを備えたポンプ式製品を対象としている。
【発明の効果】
【００１６】
本発明は、以上の課題解決手段により、
(11)内容物流入用チューブの先端部における詰まり物（花びら，金粉，粉末，ゴミ，異物など）の離間動作の簡単化・確実化を図ることができる、
(12)利用者の内容物放出操作解除後の静止時へのピストン復帰動作における、上流側貯留空間域から開状態の逆止弁を介した下流側貯留空間域への内容物供給の確実化を図ることができる、
といった効果を奏している。
【図面の簡単な説明】
【００１７】
【図１】内容物流入用チューブ逆流機構を備えたポンプ式製品の静止時を示す説明図である。
【図２】図１のポンプ式製品の押下げ操作をした作動時を示す説明図である。
【図３】図２のポンプ式製品の押下げ操作解除後の復帰動作時を示す説明図である。
【発明を実施するための形態】
【００１８】
図１乃至図３を用いて本発明を実施するための形態を説明する。
【００１９】
以下のアルファベット付き参照番号の構成要素（例えば内容物の放出口１ａ）は原則として、当該参照番号の数字部分の構成要素（例えば操作ボタン１）の一部であることを示している。
【００２０】
図１〜図３において、
１は操作部としての上下動可能な操作ボタン，
１ａは内容物の放出口，
１ｂは前記放出口にいたるＬ字状の内部通路，
２はその下端側内周面に後述の内側筒状部５ａの環状上端部分が密接し、かつ、操作ボタン１と嵌合保持された筒状の上側ピストン通路部材，
２ａは上側ピストン通路部材２の上下方向中間部分の内周面における周方向飛び飛びの位置に形成された、それぞれ内容物通過用で計３個の内周面縦溝状部，
２ｂは内周面縦溝状部２ａより下方の内周面周方向に形成されて、図２のポンプ機構作動時に、後述の内側筒状部５ａの上端面部分を当接保持する内環状下向き段部，
２ｃは内環状下向き段部２ｂの直上外周面に形成されて、図１のポンプ機構静止時に、後述の下広がり環テーパ状内周面８ｈと当接する下広がり環テーパ状外周面２ｃ，
をそれぞれ示している。
【００２１】
また、
３は内周面縦溝状部２ａの山部分に嵌合保持された下開口鞘状の中側ピストン弁部材，
３ａは中側ピストン弁部材３の外周面に形成されて、ポンプ機構の静止時（図１)および作動時（図２）それぞれに対応した弁作用を呈する吐出弁としての外環状段部，
３ｂは外環状段部３ａの内端直上方外周面に連続形成されて同じく弁作用を呈する吐出弁としての環状起立面，
３ｃは環状起立面３ｂの直上方における周方向飛び飛びの位置に形成された、それぞれ内容物通過用で計８個の外周面縦溝状部，
３ｄは外環状段部３ａの下方に形成されて、後述の小径シリンダ８ｂの内周面に当接しながら上下方向に案内される環状鍔部，
３ｅは環状鍔部３ｄのいわば外周端面における周方向飛び飛びの位置に形成された、それぞれ内容物通過用で計４個の縦方向凹状部，
をそれぞれ示している。
【００２２】
また、
４は中側ピストン弁部材３の下端側内周面に嵌合保持されて、後述のカップゴム６との間でその下流側（後述の下流側貯留空間域Ａ）のみへ内容物が流入する下開口鞘状で、上流側ピストン部材としての下側ピストン逆止弁部材，
４ａは下開口態様で上下方向に形成された鞘状の内部通路，
４ｂは内部通路４ａと後述の下流側貯留空間域Ａとを連通させる計２個の横孔部，
４ｃは横孔部４ｂより上方の外周面に形成され、後述のカップゴム６の上端内向き環凸状部６ａを保持して下方にずれないようにする外環状段部，
４ｄは下側ピストン逆止弁部材４の下側外周面に形成されて、後述の小径シリンダ８ｂの内周面に密接する環状上開口の小径逆スカート状部，
４ｅは小径逆スカート状部４ｄの基部側であって後述のコイルスプリング７の上端部分を受ける外環状下向き段部，
をそれぞれ示している。
【００２３】
また、
５は中側ピストン弁部材３の外環状段部３ａおよび環状起立面３ｂとの間で、後述の下流側貯留空間域Ａから外部空間域への内容物流出についての弁作用を呈する移動弁部材，
５ａはその上端面が、図２のポンプ機構作動時に上側ピストン通路部材２の内環状下向き段部２ｂに当接保持される内側筒状部，
５ｂは内側筒状部５ａの下端側であって、図１のポンプ機構静止時には、外環状段部３ａおよび環状起立面３ｂとの密接作用により後述の下流側貯留空間域Ａを外部空間域から遮断し、図２のポンプ機構作動時には、この密接状態が解除される吐出弁としての下端環状弁作用部，
５ｃは内側筒状部５ａの外上側に形成されて後述の大径シリンダ８ａの内周面と密接する環状の大径逆スカート状部，
５ｄは内側筒状部５ａと大径逆スカート状部５ｃとの間に形成されて、図１のポンプ機構静止時から下動する上側ピストン通路部材２のシール作用下端側部分がいわば相対的に進入して当接する、底部分からなる環凹状部，
５ｅは内側筒状部５ａの外下側に形成されて後述の大径シリンダ８ａの内周面と密接する環状の大径スカート状部，
をそれぞれ示している。
【００２４】
また、
６は下側ピストン逆止弁部材４に取り付けられて、後述の上流側貯留空間域Ｂから下流側貯留空間域Ａへ向かう内容物移動を許容する、逆止弁としての筒状のカップゴム，
６ａはこの逆止弁部材４の外環状段部４ｃに係合保持される上端内向き環凸状部，
６ｂは後述の上流側貯留空間域Ｂの内容物圧力が下流側貯留空間域Ａのそれよりも大きくなった場合（例えば操作ボタン１の押下げ操作解除にともない下側ピストン逆止弁部材４が後述のコイルスプリング７の弾性作用により上動する場合）に、横孔部４ｂの外側に膨らんで横孔部・上流側貯留空間域Ｂと下流側貯留空間域Ａとを連通させる、筒状の吸込弁としての逆止弁作用部，
７は下側ピストン逆止弁部材４の外環状下向き段部４ｅと、後述のシリンダ８の内環状段部８ｆとの間に配設されて、操作ボタン１から下側ピストン逆止弁部材４までの一体化したポンプ作動用部材を上方に付勢するコイルスプリング，
をそれぞれ示している。
【００２５】
また、
８は上側ピストン通路部材２，中側ピストン弁部材３および下側ピストン逆止弁部材４からなる上下動一体部材や、移動弁部材５，カップゴム６およびコイルスプリング７などを収容し、内容物の貯留域・通過域として作用するシリンダ（大径シリンダ８ａ＋小径シリンダ８ｂ＋下端側筒状部８ｃ），
８ａはその内周面で中側ピストン弁部材３および移動弁部材５を上下方向に案内するシリンダ上側の大径シリンダ，
８ｂは大径シリンダ８ａの下端側から下方に連続形成されて、下側ピストン逆止弁部材４を上下方向に案内する小径シリンダ，
８ｃは小径シリンダ８ｂの下端側から下方に連続形成されて、後述の内容物取込み用のチューブ９が取り付けられる下端側筒状部，
８ｄは大径シリンダ８ａの上端側から外方に連続形成されて、後述のキャップ１１に係合固定される環鍔状部，
８ｅは大径シリンダ８ａの上側周面部に形成されて、内容物放出にともなう後述の容器本体１０の内部圧力低下を防止するための減圧防止用孔部，
８ｆは小径シリンダ８ｂの下端側内面に形成されて、コイルスプリング７の下端部分を受ける内環状段部，
８ｇは大径シリンダ８ａの上端側内周面に嵌合固定されて、中側ピストン弁部材３および移動弁部材５などの最上位置を画定する筒状カラー部，
８ｈは筒状カラー部８ｇの上端内周面であって、図１のポンプ機構静止時に、上側ピストン通路部材２の下広がり環テーパ状外周面２ｃと当接・係合し、その上動ストッパとして作用する下広がり環テーパ状内周面，
８ｊは筒状カラー部８ｇの下端面であって、図１のポンプ機構静止時に、移動弁部材５の大径逆スカート状部５ｃの上端内周面部分と当接・係合し、その上動ストッパとして作用する上広がり環テーパ状外周面，
をそれぞれ示している。
【００２６】
また、
９はシリンダ８の下端側筒状部８ｃに取り付けられた内容物流入用のチューブ，
９ａはチューブ９の先端部分に取り付けられて、放出対象内容物中の花びら，金粉といった装飾要素や粉末，異物，ゴミなどをいわば捕獲する隙間通過部材としてのメッシュブッシュ，
１０は各種内容物が収容された容器本体，
１０ａは容器本体首部の外周面に形成されて後述の雌ネジ部１１ｂを螺合保持する雄ネジ部，
１０ｂは容器本体１０の内部に内容物として混合されたいわば観賞用の金粉，
１１はシリンダ８の環鍔状部８ｄを嵌合保持して容器本体１０の首部に着脱可能な形で取り付けられるキャップ，
１１ａはキャップ大径内周面の上端部分に形成されて環鍔状部８ｄの外端部分と嵌合する環凹状部，
１１ｂはキャップ大径内周面に形成されて容器本体首部の雄ネジ部１０ａに螺合保持される雌ネジ部，
１２はシリンダ８の環鍔状部８ｄと容器本体１０の上端面との間に挟持されて内容物シール作用を呈する環状のパッキン，
をそれぞれ示している。
【００２７】
また、
Ａは概略、シリンダ８における移動弁部材５とカップゴム６との間の下流側貯留空間域，
Ｂは概略、小径シリンダ８ｂにおける横孔部４ｂと後述のチューブ流出部との間の上流側貯留空間域，
ｆ１はポンプ作動時の外部空間域への内容物流出経路，
ｆ２はポンプ作動時のチューブへの内容物逆流経路，
ｆ３はポンプ作動後の静止時（図１）への復帰動作における下流側貯留空間域Ａおよび上流側貯留空間域Ｂへの内容物流入経路，
をそれぞれ示している。
【００２８】
ここで、操作ボタン１，上側ピストン通路部材２，中側ピストン弁部材３，下側ピストン逆止弁部材４，移動弁部材５，シリンダ８，チューブ９およびキャップ１１はポリプロピレン，ポリエチレン，ポリアセタール，ナイロン，ポリブチレンテレフタレートなどの合成樹脂製のものである。
【００２９】
また、カップゴム６はゴム製のものであり、コイルスプリング７は金属製や合成樹脂製のものであり、容器本体１０は合成樹脂製や硝子製のものであり、パッキン１２はゴム製や合成樹脂製のものである。
【００３０】
図示の内容物流入チューブ逆流機構の基本的特徴は、
(21)内容物貯留・通過用のシリンダ８を、
チューブ９からの内容物流入部である上流側貯留空間域Ｂを画定し、その内部空間域を、吸込弁としての下側ピストン逆止弁部材４およびカップゴム６が上下動する新設の小径シリンダ８ｂと、
この小径シリンダの下流側の放出内容物貯留部である下流側貯留空間域Ａを画定し、その内部空間域を、吐出弁としての中側ピストン弁部材３および移動弁部材５が上下動する大径シリンダ８ａと、
で構成し、
(22)操作ボタン１の作動時設定押下げ操作（図２参照）にともない、
下流側貯留空間域Ａの容積減少に基づく内容物圧力増加により吐出弁が開いて、当該空間域の内容物が外部空間域に放出され、
かつ、操作ボタン１と一体化した形の下側ピストン逆止弁部材４が小径シリンダ８ｂの内周面に密接しながら下動して、この小径シリンダ（上流側貯留空間域Ｂ）の貯留内容物をチューブ９の方にいわば押下げる、すなわち上流側貯留空間域Ｂから容器本体１０へのチューブ９を介した内容物の逆流が生じる、
ことである。
【００３１】
このチューブ９への逆流により、メッシュブッシュ９ａおよびその近傍に詰まっていた花びら，金粉，粉末，ゴミ，異物などを容器本体１０の方に流出させて、メッシュ詰まりなどが解消される。
【００３２】
ここで、容器本体１０に内容物として積極的に収容済みの花びら，金粉などの場合にはそれが繰り返して有効利用される。
【００３３】
また、この小径シリンダ（上流側貯留空間域Ｂ）の貯留内容物は前回の内容物放出操作の終了の際に容器本体１０からチューブ９を介して流入済みの内容物である。
【００３４】
このとき上流側貯留空間域Ｂに流入した内容物は、その圧力でカップゴム６の逆止弁作用部６ｂを開状態にして大径シリンダ８ａの下流側貯留空間域Ａにも流入する。この下流側貯留空間域Ａへの流入内容物が次回の内容物放出操作時の放出対象となる。
【００３５】
図１の静止時には、
(31) 操作ボタン１，上側ピストン通路部材２，中側ピストン弁部材３，下側ピストン逆止弁部材４の一体物と、
中側ピストン弁部材３の外環状段部３ａなどで押し上げられた形の移動弁部材５が、
それぞれコイルスプリング７の弾性作用により最も上動した位置にあり、
(32)この最上動位置は、移動弁部材５の大径逆スカート状部５ｃの上端内面部分と、筒状カラー部８ｇの上広がり環テーパ状外周面８ｊとの係合作用により保持され、
(33)下流側貯留空間域Ａおよび上流側貯留空間域Ｂには、それぞれ上述したように前回の内容物放出操作の終了の際に内容物が流入済みであり、
(34)下側ピストン逆止弁部材４の小径逆スカート状部４ｄの外周面上端部が小径シリンダ８ｂの上端側内周面に密接し、
(35)吸込弁としての横孔部４ｂおよびカップゴム６、ならびに吐出弁としての外環状段部３ａ，環状起立面３ｂおよび下端環状弁作用部５ｂは、ともに閉状態に設定され、下流側貯留空間域Ａおよび上流側貯留空間域Ｂそれぞれの貯留内容物は弁別されている。
【００３６】
図２は作動時、すなわち図１の静止時の操作ボタン１を利用者が押し下げることにより、下流側貯留空間域Ａの収容内容物が放出口１ａから放出され、かつ、上流側貯留空間域Ｂの収容内容物がチューブ９および容器本体１０の方に逆流する状態を示している。
【００３７】
図２の作動時には、先ず、
(41)吐出弁を構成する中側ピストン弁部材３および移動弁部材５が、吸込弁（横孔部４ｂおよび逆止弁作用部６ｂ）の閉状態で、コイルスプリング７の上方への弾性力に抗しながらともに下動し、
(42)この下動にともない、移動弁部材５からカップゴム６までの閉空間域としての下流側貯留空間域Ａの容積が減少してそこでの内容物圧力が大きくなり、その結果、当該移動弁部材が中側ピストン弁部材３に対して相対的に上動し、
(43)この移動弁部材５の相対的上動にともない上記吐出弁が開き、
(44)この吐出弁が開くことにより、すでに中側ピストン弁部材３の下動にともない加圧済みの下流側貯留空間域Ａの内容物は、内容物流出経路ｆ１の「開状態の吐出弁−外周面縦溝状部３ｃ−中側ピストン弁部材３の上側外周面と内側筒状部５ａの上側内周面との間の環状空間域−内周面縦溝状部２ａ−上側ピストン通路部材２の内部通路−操作ボタン１の内部通路１ｂ」により、放出口１ａから外部空間域に放出される。
【００３８】
また、この(41)〜(44)の内容物放出動作とともに、
(51)下側ピストン逆止弁部材４が、上記吸込弁を閉じたまま下動し、
(52)この下動にともない、上流側貯留空間域Ｂに収容済みの内容物がチューブ９の方へ逆流する。
【００３９】
上記(42)の「下流側貯留空間域Ａの容積が減少」するのは、その空間域が大径シリンダ８ａと小径シリンダ８ｂとにまたがり、操作ボタン１の下動ストロークに応じて大径シリンダ８ａでの高さが減り、その分だけ小径シリンダ８ｂでの高さが増えるからである。
【００４０】
上記(52)のように、上流側貯留空間域Ｂの収容内容物が逆流することにより、チューブ下端のメッシュブッシュ９ａにおける詰まり物も下方に押し出され、容器本体１０の方に戻っていく。
【００４１】
もともと容器本体１０の内容物といわば混合されて、の中に収容されてメッシュブッシュ９ａに詰まった状態の装飾用の花びら，金粉なども、この逆流撹拌作用により容器本体内部に移動する。
【００４２】
図３の、押下げ操作解除後の静止状態（図１）への復帰動作時には、
(61)先ず、操作ボタン１，上側ピストン通路部材２，中側ピストン弁部材３および下側ピストン逆止弁部材４のピストン一体物が、移動弁部材５をいわば残した形で、コイルスプリング７の弾性作用により上方へ初期移動し、
(62)この初期移動により、中側ピストン弁部材３と移動弁部材５との間の吐出弁がそれまでの開状態から閉状態にシフトし、
(63)その後のピストン一体物のさらなる上動にともない、下流側貯留空間域Ａおよび上流側貯留空間域Ｂそれぞれの容積が増大して、これら各空間域での内圧低下を生じ、
(64)この下流側貯留空間域Ａにおける上流側貯留空間域Ｂよりも大きな内圧低下により、上記吸込弁が開き、
(65)この吸込弁開状態で、容器本体１０の内部空間域からチューブ９を介して内圧低下状態の下流側貯留空間域Ａおよび上流側貯留空間域Ｂのそれぞれに内容物が流入する。
【００４３】
この下流側貯留空間域Ａへの流入内容物は次回の操作ボタン１の押下げ操作における放出対象内容物となる。
【００４４】
また、上流側貯留空間域Ｂへの流入内容物は次回の操作ボタン１の押下げ操作における逆流対象内容物となる。
【００４５】
図３の復帰動作時に、横孔部４ｂおよびカップゴム６の上記吸込弁が開くのは、中側ピストン弁部材３および下側ピストン逆止弁部材４などが上動する際の単位長あたりの上流側貯留空間域Ｂの容積増加量が下流側貯留空間域Ａのそれよりも大きいからである。
【００４６】
すなわち、カップゴム６は、容積増加量が大きい下流側貯留空間域Ａからの大吸引圧力と、容積増加量が小さい上流側貯留空間域Ｂからの小吸引圧力とを受け、このときの圧力差が、カップゴム自体の弾性復帰力より勝るからである。
【００４７】
上述したように、操作ボタン１，上側ピストン通路部材２，中側ピストン弁部材３，下側ピストン逆止弁部材４の一体物、および移動弁部材５が上方に移動するとき、先ずコイルスプリング７の弾性作用によりこの一体物の全体が移動弁部材に対して上動する。
【００４８】
この一体物の上動にともない、中側ピストン弁部材３の外環状段部３ａおよび環状起立面３ｂが移動弁部材５の下端環状弁作用部５ｂと密接して、上記吐出弁が閉じる。
【００４９】
吐出弁が閉じた後、操作ボタン１，上側ピストン通路部材２，中側ピストン弁部材３，下側ピストン逆止弁部材４および移動弁部材５の全体は、一体となってコイルスプリング７の弾性作用で上方に移動し、図１の静止時の状態に復帰する。
【００５０】
この全体が上方へ移動するとき、上述したように下流側貯留空間域Ａおよび上流側貯留空間域Ｂには容器本体１０からの内容物が連続流入し、それぞれの貯留空間域の内容物圧力も大きくなる。
【００５１】
そして、逆止弁作用部６ｂは、これに対する下流側貯留空間域Ａおよび上流側貯留空間域Ｂ（横孔部４ｂ）それぞれの内容物圧力が例えば略バランスした段階で、自弾性力によって横孔部４ｂの閉塞状態へ復帰する。
【００５２】
すなわち横孔部４ｂと逆止弁作用部６ｂとの吸込弁は図１の静止時と同じ閉状態に設定される。
【００５３】
図示の内容物流入用チューブ逆流機構の組立て手順は、例えば、
(71)下側ピストン逆止弁部材４に、カップゴム６を取り付ける、
(72)中側ピストン弁部材３の上方から移動弁部材５を通して、上側ピストン通路部材２を篏合する、
(73)中側ピストン弁部材３の下端部に、下側ピストン逆止弁部材４を篏合する、
(74)筒状カラー部８ｇを付けない状態のシリンダ８の上方から、コイルスプリング７および上記(73)で組み立てたピストン（２＋３＋４＋５＋６）を順に挿入し、筒状カラー部８ｇを取り付ける、
(75)上記(74)で組み立てたシリンダ８の環鍔状部８ｄの下側に、パッキン１２を取り付ける、
(76)上記(75)で組み立てたシリンダ８の環鍔状部８ｄに、キャップ１１を取り付け、上方より突出する上側ピストン通路部材２に、操作ボタン１を取り付ける、
(77)上記(76)で組み立てたシリンダ８の下端側筒状部８ｃに、あらかじめメッシュブッシュ９ａを下端に取り付けた内容物流入用のチューブ９を差し込む、
などとなる。
【００５４】
なお、本発明が以上の実施形態に限定されないことは勿論であり、
(81)押下げタイプの操作ボタン１に代えて、トリガータイプの回動操作レバーやチルトタイプの傾斜ボタンを用いる、
(82)カップゴム６に代えて、ボール弁などの移動弁およびこれを横孔部４ｂの方に付勢する弾性部材を設ける、
(83)メッシュブッシュ９ａなどの隙間通過部材を、チューブ９の先端ではなく、内容物通路域の任意の部分に設ける、
(84)内周面縦溝状部２ａ，外周面縦溝状部３ｃ，縦方向凹状部３ｅおよび横孔部４ｂの各個数を増減する、
ようにしてもよい。
【００５５】
本発明が適用されるポンプ式製品としては、洗浄剤，清掃剤，制汗剤，冷却剤，筋肉消炎剤，ヘアスタイリング剤，ヘアトリートメント剤，染毛剤，育毛剤，化粧品，シェービングフォーム，食品，液滴状のもの（ビタミンなど），医薬品，医薬部外品，塗料，園芸用剤，忌避剤（殺虫剤），クリーナー，消臭剤，洗濯のり，潤滑剤などの各種用途のものがある。
【００５６】
容器本体に収納する内容物に配合される成分としては例えば、粉状物，油成分，アルコール類，界面活性剤，高分子化合物，各用途に応じた有効成分，水などが挙げられる。
【００５７】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロース，これらの混合物などを用いる。
【００５８】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。
【００５９】
アルコール類としては、エタノールなどの１価の低級アルコール，ラウリルアルコールなどの１価の高級アルコール，エチレングリコール，グリセリン，1,3−ブチレングリコールなどの多価アルコールなどを用いる。
【００６０】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。
【００６１】
高分子化合物としては、メチルセルロース，ゼラチン，デンプン，カゼイン，ヒドロキシエチルセルロース，キサンタンガム，カルボキシビニルポリマーなどを用いる。
【００６２】
各用途に応じた有効成分としては、サリチル酸メチル，インドメタシンなどの消炎鎮痛剤、安息香酸ナトリウム，クレゾールなどの除菌剤、ヒレスロイド，ジエチルトルアミドなどの害虫忌避剤、酸化亜鉛などの制汗剤、カンフル，メントールなどの清涼剤、エフェドリン，アドレナリンなどの抗喘息薬、スクラロース，アスパルテームなどの甘味料、パラフェニレンジアミン，アミノフェノールなどの染料などを用いる。
【００６３】
さらに、上記内容物以外の、懸濁剤，紫外線吸収剤，乳化剤，保湿剤，酸化防止剤、金属イオン封鎖剤なども用いることができる。
【符号の説明】
【００６４】
１：操作ボタン（操作部）
１ａ：放出口
１ｂ：Ｌ字状の内部通路
２：上側ピストン通路部材
２ａ：内周面縦溝状部
２ｂ：内環状下向き段部
２ｃ：下広がり環テーパ状外周面
３：中側ピストン弁部材
３ａ：外環状段部
３ｂ：環状起立面
３ｃ：外周面縦溝状部
３ｄ：環状鍔部
３ｅ：縦方向凹状部
【００６５】
４：下側ピストン逆止弁部材
４ａ：鞘状の内部通路
４ｂ：横孔部
４ｃ：外環状段部
４ｄ：小径逆スカート状部
４ｅ：外環状下向き段部
５：移動弁部材
５ａ：内側筒状部
５ｂ：下端環状弁作用部
５ｃ：大径逆スカート状部
５ｄ：環凹状部
５ｅ：大径スカート状部
【００６６】
６：カップゴム
６ａ：上端内向き環凸状部
６ｂ：逆止弁作用部
７：コイルスプリング
８：シリンダ（８ａ＋８ｂ＋８ｃ）
８ａ：大径シリンダ
８ｂ：小径シリンダ
８ｃ：下端側筒状部
８ｄ：環鍔状部
８ｅ：減圧防止用孔部
８ｆ：内環状段部
８ｇ：筒状カラー部
８ｈ：下広がり環テーパ状内周面
８ｊ：上広がり環テーパ状外周面
【００６７】
９：内容物流入用のチューブ
９ａ：メッシュブッシュ
１０：容器本体
１０ａ：雄ネジ部
１０ｂ：金粉
１１：キャップ
１１ａ：環凹状部
１１ｂ：雌ネジ部
１２：パッキン
【００６８】
Ａ：下流側貯留空間域
Ｂ：上流側貯留空間域
ｆ１：ポンプ作動時の外部空間域への内容物流出経路
ｆ２：ポンプ作動時のチューブへの内容物逆流経路
ｆ３：下流側貯留空間域Ａおよび上流側貯留空間域Ｂへの内容物流入経路
【図１】
0006601899.tif 000002
【図２】
0006601899.tif 000003
【図３】
0006601899.tif 000004